(57)【要約】【課題】            鋏状工具等による強引な切破り行為を阻むことができる開閉体を提供する。【解決手段】        開閉体幅方向へわたるスラット１０を開閉方向へ複数配設し、開閉方向に隣り合う二つのスラット１０，１０の内の一方のスラット１０を、他方のスラット１０に対し回動するようにした開閉体１において、開閉方向へ隣り合う二つのスラット１０，１０は、開閉体開閉方向に略直交する仮想平面ｆ１，ｆ２に対し５〜１２回の範囲内で交差するように係合している部分を有する。【選択図】          図１
2006118292.tif 000002
【特許請求の範囲】
【請求項１】
開閉体幅方向へわたるスラットを開閉方向へ複数配設し、開閉方向に隣り合う二つのスラットの内の一方のスラットを、他方のスラットに対し回動するようにした開閉体において、
開閉方向へ隣り合う二つのスラットは、開閉体開閉方向に略直交する仮想平面に対し５〜１２回の範囲内で交差するように係合している部分を有することを特徴とする開閉体。
【請求項２】
開閉体幅方向へわたるスラットを開閉方向へ複数配設し、開閉方向に隣り合う二つのスラットの内の一方のスラットを、他方のスラットに対し回動するようにした開閉体において、
開閉方向に隣り合う二つのスラットの内、その一方のスラットに、双方の係合箇所よりも他方のスラット側へ突出する突出部を設けたことを特徴とする開閉体。
【請求項３】
上記他方のスラットに、上記突出部に対して近接または接触して重なり合う重合部を設けたことを特徴とする請求項２記載の開閉体。
【請求項４】
上記突出部と上記重合部とを、湾曲しながら重なり合うようにしたことを特徴とする請求項３記載の開閉体。
【請求項５】
開閉体開閉方向の両端側に上記突出部を有するスラットと、開閉体開閉方向の両端側に上記重合部を有するスラットとの二種類のスラットを備え、これらスラットを交互に連設してなることを特徴とする請求項３又は４記載の開閉体。
【請求項６】
開閉方向に隣り合う二つのスラットの係合箇所は、当該開閉体の正面側を構成する前面部に対し、開閉体厚さ方向へ所定間隔離れて配置されていることを特徴とする請求項１乃至５何れか１項記載の開閉体。
【請求項７】
上記所定間隔を、開閉方向に隣り合う二つのスラットの係合箇所における開閉体厚さ方向の最大寸法に対し、１．５〜３倍の範囲内としたことを特徴とする請求項６記載の開閉体。
【請求項８】
開閉方向に隣り合う二つのスラットの係合箇所における開閉体厚さ方向の最大寸法を、スラットの開閉体厚さ方向の最大寸法に対し、４０〜１００％の範囲内としたことを特徴とする請求項１乃至７何れか１項記載の開閉体。
【発明の詳細な説明】
【技術分野】
【０００１】
本発明は、複数のスラットを具備し、開閉動作されることにより空間を仕切ったり開放したりする開閉体に関し、特に、シャッター装置に用いるのに好適な開閉体に関するものである。
【背景技術】
【０００２】
従来、この種の発明には、開閉体幅方向へわたるスラットを開閉方向へ複数配設し、開閉方向に隣り合う二つのスラットの内の一方のスラットを、他方のスラットに対し回動するように係合させている開閉体がある（例えば、特許文献１参照）。
より詳細に説明すれば、この開閉体は、一方のスラットにおける他方のスラット側に縦断面略カール状の係合部を有するとともに、他方のスラットにおける前記一方のスラット側には、前記係合部と係合する縦断面略カール状の被係合部を有し、これら係合部と被係合部とを巻き重ねるようにして係合させることで、一方のスラットを他方のスラットに対し回動するように係合させている。
【０００３】
しかしながら、上記従来の開閉体によれば、軽量シャッター等のようにスラットの肉厚を特に薄肉に設定している場合等には、悪意を有する第三者等により、鋏状工具等を用いて強引に切り破られてしまうおそれがある。
【特許文献１】特開２００４−１９７３３３公報
【発明の開示】
【発明が解決しようとする課題】
【０００４】
本発明は上記従来事情に鑑みてなされたものであり、その課題とする処は、鋏状工具等による強引な切破り行為を阻むことができる開閉体を提供することにある。
【課題を解決するための手段】
【０００５】
上記課題を解決するために第一の発明は、開閉体幅方向へわたるスラットを開閉方向へ複数配設し、開閉方向に隣り合う二つのスラットの内の一方のスラットを、他方のスラットに対し回動するようにした開閉体において、開閉方向へ隣り合う二つのスラットは、開閉体開閉方向に略直交する仮想平面に対し５〜１２回の範囲内で交差するように係合している部分を有することを特徴とする。
【０００６】
また、第二の発明では、開閉体幅方向へわたるスラットを開閉方向へ複数配設し、開閉方向に隣り合う二つのスラットの内の一方のスラットを、他方のスラットに対し回動するようにした開閉体において、開閉方向に隣り合う二つのスラットの内、その一方のスラットに、双方の係合箇所よりも他方のスラット側へ突出する突出部を設けたことを特徴とする。
【０００７】
ここで、本発明における開閉体とは、少なくとも二以上のスラットを開閉方向に連設させている部位を有する開閉体であればよく、この開閉体には、該開閉体の全体がスラットにより構成された態様や、該開閉体の一部分がスラットにより構成され他の部分がシート状物やパネル、パイプ等の部材により構成された態様等を含む。
【０００８】
また、上記開閉体を開閉動作させるための開閉装置の態様は、上記開閉体を巻取り装置により巻き取ったり巻き戻したりする態様や、上記開閉体を巻取ったり巻き戻したりすることなく収納したり繰出したりする態様等とすることが可能である。
【０００９】
また、上記スラットとは、上記開閉体を部分的または全体的に構成するように、開閉体開閉方向へ複数連設された部品であり、各スラットは、隣り合う他のスラットに対し回動するように係合している。
前記各スラットには、単数の板材からなる態様や、複数の板材をその厚さ方向に重ねてなる態様等を含む。
【００１０】
また、上記第一の発明において、「開閉方向へ隣り合う二つのスラットは、開閉体開閉方向に略直交する仮想平面に対し５〜１２回の範囲内で交差するように係合している」という構成には、二つのスラットがこれらの係合箇所（例えばカール状の係合部や被係合部等）で前記仮想平面と交差している態様や、二つのスラットが前記係合箇所および前記係合箇所以外の部位で前記仮想平面と交差している態様等を含む。
なお、上記交差回数（５〜１２回）は、二つのスラットの係合箇所に対する切断を困難にし、且つ当該開閉体の生産性を損なわないように設定された回数であり、本願発明者が試行錯誤の実験により求めた最も好適な回数である。
【００１１】
また、上記第二の発明において、上記突出部とは、開閉方向に隣り合う二つのスラットの内の一方に設けられた部位であって、上記双方のスラットの係合箇所（例えばカール状の係合部や被係合部等）よりも他方のスラット側へ突出した部位であればよい。
この突出部の形状は、特に限定されないが、例えば、断面略Ｖ字状や、断面略Ｕ字状等とすることが可能である。
【００１２】
また、第三の発明では、上記他方のスラットに、上記突出部に対して近接または接触して重なり合う重合部を設けたことを特徴とする。
【００１３】
また、第四の発明では、上記突出部と上記重合部とを、湾曲しながら重なり合うようにしたことを特徴とする。
【００１４】
また、第五の発明では、開閉体開閉方向の両端側に上記突出部を有するスラットと、開閉体開閉方向の両端側に上記重合部を有するスラットとの二種類のスラットを備え、これらスラットを交互に連設してなることを特徴とする。
【００１５】
また、第六の発明では、開閉方向に隣り合う二つのスラットの係合箇所は、当該開閉体の正面側を構成する前面部に対し、開閉体厚さ方向へ所定間隔離れて配置されていることを特徴とする。
【００１６】
また、第七の発明では、上記所定間隔を、開閉方向に隣り合う二つのスラットの係合箇所における開閉体厚さ方向の最大寸法に対し、１．５〜３倍の範囲内としたことを特徴とする。
【００１７】
なお、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
また、本明細書中において「開閉体厚さ方向」とは、閉鎖状態の開閉体の厚さ方向を意味する。
【発明の効果】
【００１８】
本発明は、以上説明したように構成されているので、以下に記載されるような作用効果を奏する。
第一の発明によれば、開閉方向へ隣り合う二つのスラットは、開閉体開閉方向に略直交する仮想平面に対し５〜１２回交差するように係合しているため、鋏状工具等を用いた強引な切破り行為があったとしても、その切破り行為を前記交差箇所によって阻むことができる。
【００１９】
また、第二の発明によれば、開閉体開放方向への強引な切破り行為を、他方のスラット側へ突出する突出部により阻むことができる。
【００２０】
更に、第三の発明によれば、開閉体開放方向への強引な切破り行為を、突出部と重合部との重なり合い部分により、一層効果的に阻むことができる。
【００２１】
更に、第四の発明によれば、突出部と重合部との重なり合い部分が湾曲しているため、この重なり合い部分を鋏状工具等により切破ろうとした場合の抵抗が比較的大きい。したがって、鋏状工具等による強引な切破り行為を、より効果的に阻むことができる。
【００２２】
更に、第五の発明によれば、開閉体開閉方向における両端側の形状が異なる二種類のスラットを交互に連設しているため、開閉体をその開閉方向へ切破ろうとした場合に受ける抵抗感を、スラット毎に変化させることができ、ひいては、悪意の第三者による切破り作業を、混乱させ遅延させる効果がある。
【００２３】
更に、第六の発明によれば、二つのスラットの係合箇所を鋏状工具により切断しようとした場合、当該開閉体の前面部と係合箇所とが所定間隔離れているため、鋏状工具をより広く開放させる必要が生じる。
したがって、前記係合箇所の切断が困難になり、ひいては、鋏状工具等による強引な切破り行為を、一層効果的に阻むことができる。
【００２４】
その上、第七の発明によれば、係合箇所と前面部との間隔が、鋏状工具等による切断を困難にする大きさに設定されている。そのため、鋏状工具等による強引な切破り行為を、より効果的に阻むことができる。
【００２５】
更に、第八の発明によれば、係合箇所の開閉体厚さ方向の最大寸法が、鋏状工具等による切断を困難にする大きさに設定されている。したがって、鋏状工具等による強引な切破り行為を、一層効果的に阻むことができる。
【発明を実施するための最良の形態】
【００２６】
以下、本発明の実施の形態を図面に基づいて説明する。
本実施の形態による開閉体は、住宅やビル、倉庫、工場、地下街、トンネル、車両の荷台等の躯体の開口部分や内部に配設され、前記開口部分を開閉したり、構築・構造物内部の空間を仕切ったり開放したりする所謂シャッター装置に構成された一例として説明する。
【００２７】
開閉体１は、開閉体幅方向へわたるスラット１０を開閉方向へ複数連設してなり、開閉方向に隣り合う二つのスラット１０，１０の内、その一方のスラット１０における他方のスラット１０側（図１における下側）にカール状の係合部１１を設けるとともに、その他方のスラット１０における前記一方のスラット１０側（図１における上側）にカール状の被係合部１２を設け、これら係合部１１と被係合部１２とを、巻き重ねるようにして、その一方に対し他方が回動するように係合させている（図１参照）。
【００２８】
そして、この開閉体１は、その幅方向の両端を囲むガイドレール（図示せず）により上下方向へ案内され、巻取り軸（図示せず）により巻き取られたり巻き戻されたりして開閉動作する。
【００２９】
各スラット１０は、開閉体幅方向に長尺な略矩形状の金属板を曲げ加工してなり、正面視略横長矩形状の前面部１１と、該前面部１１における開閉方向の一端側（図示例によれば下端側）に曲げ形成された突出部１２及び係合部１３と、同前面部１１における開閉方向の他端側（図示例によれば上端側）に曲げ形成された重合部１４及び被係合部１５とから一体に構成される（図２参照）。
【００３０】
突出部１２は、前面部１１の下端側に連設されるとともに、後述する係合部１３よりも下方へ突出した部位であり、図示した好ましい一例によれば、断面略Ｖ字状を呈し、後述する重合部１４と重なり合う部位が湾曲している。
そして、この突出部１２における前面部１１と逆側の端部側には、係合部１３が連設されている。
【００３１】
また、重合部１４は、前面部１１の上端側に連設されるとともに、上記突出部１２に対して近接または接触して重なり合うように形成された部位であり、上記突出部１２に沿う湾曲状に形成されている。
そして、この重合部１４における前面部１１と逆側の端部側には、被係合部１５が連設されている。
【００３２】
係合部１３と被係合部１５の各々は、その端縁側が縦断面略カール状に巻き込まれた形状を呈し、その一方に対し他方が回動するように係合し合っている。
これら係合部１３と被係合部１５の巻き込み量は、開閉方向へ隣り合う二つのスラット１０，１０が、開閉体開閉方向に略直交する仮想平面ｆ１，ｆ２（図３参照）に対し５〜１２回の範囲内（図示例によれば５回）で交差するように、適宜に設定される。
【００３３】
そして、これら係合部１３及び被係合部１５は、係合状態における開閉体厚さ方向の最大寸法ｘ１が、スラット１０の開閉体厚さ方向の最大寸法ｘ２に対し、４０〜１００％の範囲内（図示例のものは約４３％）となるように設定されている（図２参照）。
【００３４】
また、係合状態の係合部１３及び被係合部１５は、当該開閉体１の正面側を構成する前面部１１に対し開閉体厚さ方向へ所定間隔ｘだけ離れて配置されている（図３参照）。
より詳細に説明すれば、係合状態の係合部１３及び被係合部１５における最も前面部１１側（換言すれば図示例の開閉装置１における正面側）の部分が、前面部１１に対し開閉体厚さ方向へ所定間隔ｘだけ離れて配置されている。
なお、前記所定間隔ｘは、係合部１３と被係合部１５との係合箇所が鋏状工具等により切断されるのを効果的に阻むことができ、且つ当該開閉体１を図示しない巻取り軸に巻き取った際の巻径が過大とならない程度に適宜設定される。
【００３５】
次に、図示例の開閉体１について、その作用効果を詳細に説明する。
実験的に開閉体１を鋏状工具ｐによって開閉体開放方向へ切破ろうとした場合、
、鋏状工具ｐの切断経路ｑは、図４（ａ）に示すように、係合部１３及び被係合部１５の係合箇所の近傍で、開閉体１裏側（図４における左側）へ湾曲した経路となる。
【００３６】
先ず、突出部１２と重合部１４との重合箇所においては、その重合面に略直交する仮想平面ｅに対し、上下のスラット１０，１０が３回交差している。
そのため、この重合箇所を鋏状工具ｐによって切断しようとした場合、同スラット１０の前面部１１を切断する場合と比較し、その切断抵抗が大きい。
この切断抵抗は、突出部１２と重合部１４との重合箇所が湾曲状であることや、突出部１２が内部空間を有する略Ｖ字状であること等によっても、増大される。
【００３７】
また、係合部１３と被係合部１５との係合箇所においては、上下のスラット１０，１０が、開閉体開閉方向に略直交する仮想平面ｆ１，ｆ２に対し５回交差している。
したがって、この係合箇所を鋏状工具ｐによって開閉体開放方向へ切断しようとした場合、図４（ｂ）に例示する従来の開閉体１００と比較し、その切断抵抗が大きい。
すなわち、従来の開閉体１００によれば、上下のスラット１１０，１１０の係合箇所は、開閉体開閉方向に略直交する仮想平面ｆ０に対し４回しか交差していない。しかしながら、本実施の形態の開閉体１では、係合部１３及び被係合部１５の巻き込み量を増やし、突出部１２を設けることで、前記交差回数を増加しているため、従来の開閉体１００より切断抵抗が大きい。
【００３８】
なお、上記は、開閉体１をその開放方向（図４における上方）へ切断した場合の作用効果について説明しているが、同開閉体１をその閉鎖方向（図４における下方）へ切断した場合も略同様の作用効果を得ることができる。
【００３９】
また、図示例の開閉体１によれば、開閉体開閉方向に略直交する仮想平面ｆ１，ｆ２に対し、係合部１３及び被係合部１５が４回交差し、更に前面部１１が１回交差して、合計５回交差する構成としたが、係合部１３及び被係合部１５のみが５〜１２回の範囲内で交差する態様とすることも可能である。
【００４０】
次に、本発明に係わる開閉体の他例について説明する。なお、以下に示す開閉体において、上記開閉体１を略同様の箇所については、開閉体１と同一の符号を付けることで重複する詳細な説明を省略する。
【００４１】
図５に示す開閉体２は、上記開閉体１に対し、係合部１３及び被係合部１５（より詳細には、係合状態の係合部１３及び被係合部１５における最も前面部１１側の部分）と前面部１１との間隔ｘ３を、より適切に設定した構成となっている。
間隔ｘ３は、開閉方向に隣り合う二つのスラット１０’，１０’の係合箇所における開閉体厚さ方向の最大寸法ｘ４に対し、１．５〜３倍の範囲内（図示例では約１．７倍）となるように設定されている。
この開閉体２によれば、鋏状工具によって開閉体開閉方向へ切断しようとした場合、その鋏状工具の開放角度が比較的大きくなる。そのため、その切断作業がし難くなり、ひいては、悪意を有する第三者による開閉体２の切破り行為を、より効果的に防ぐことができる。
【００４２】
また、図６に示す開閉体３は、２種類のスラット２０，３０を開閉体開閉方向へ交互に連設することで構成されている。
一方のスラット２０は、開閉体幅方向に長尺な略矩形状の金属板を曲げ加工してなり、正面視略横長矩形状の前面部２１と、該前面部２１における開閉方向の両端側（図示例によれば上下端側）に曲げ形成された二つの突出部２２，２３と、
一方の突出部２２の端縁側に形成されたカール状の係合部２４と、他方の突出部２３の端縁側に形成されたカール状の被係合部２５とからなる。
すなわち、このスラット２０は、上記開閉体１のスラット１０が開閉体開閉方向の一方側にのみ突出部１２を有するのに対し、二つの突出部２２，２３を、それぞれ開閉体開閉方向の両側に配設している。
そして、一方の突出部２２の端縁側には、開閉体１の係合部１３と略同形状の係合部２４を備え、他方の突出部２３の端縁側には、開閉体１の被係合部１５と略同形状の被係合部２５を備えている。
【００４３】
また、他方のスラット３０は、開閉体幅方向に長尺な略矩形状の金属板を曲げ加工してなり、正面視略横長矩形状の前面部３１と、該前面部３１における開閉方向の両端側（図示例によれば上下端側）に曲げ形成された二つの重合部３２，３３と、一方の重合部３２の端縁側に形成されたカール状の係合部３４と、他方の重合部３３の端縁側に形成されたカール状の被係合部３５とからなる。
すなわち、このスラット２０は、上記開閉体１のスラット１０が開閉体開閉方向の一方側にのみ重合部１４を有するのに対し、二つの重合部３２，３３を、それぞれ開閉体開閉方向の両側に配設している。
そして、一方の重合部３２の端縁側には、開閉体１の係合部１３と略同形状の係合部３４を備え、他方の重合部３３の端縁側には、開閉体１の被係合部１５と略同形状の被係合部３５を備えている。
【００４４】
この開閉体３によれば、上記開閉体１と略同様に、突出部２２と突出部２３との重合箇所や、係合部２４と被係合部３５との係合箇所等において、鋏状工具による切破りを阻むことができる。
その上、開閉体開閉方向における両端側の形状が異なる二種類のスラット２０，３０が交互に連設されるため、開閉体３をその開閉方向へ切破ろうとした場合に受ける抵抗感を、スラット毎に変化させることができ、ひいては、悪意の第三者による切破り作業を、混乱させ遅延させる効果がある。
【図面の簡単な説明】
【００４５】
【図１】本発明に係わる開閉体の一例を示す斜視図である。
【図２】同開閉体のスラットを示す拡大縦断面図である。
【図３】開閉方向に隣り合うスラットの係合箇所を示す要部拡大縦断面図である。
【図４】開閉方向に隣り合うスラットの係合箇所を示す要部拡大縦断面図であり、（ａ）は本発明に係わる開閉体を鋏状工具によって切断しようとした場合の作用効果を示し、（ｂ）は従来の開閉体を鋏状工具によって切断しようとした場合の作用効果を示す。
【図５】本発明に係わる開閉体の他例を示す縦断面図である。
【図６】本発明に係わる開閉体の他例を示す縦断面図である。
【符号の説明】
【００４６】
１０，１０’，２０，３０：スラット
１１，２１，３１：前面部
１２，２２，２３：突出部
１３，２４，３４：係合部
１４，３２，３３：重合部
１５，２５，３５：被係合部
１，２，３：開閉体
ｆ１，ｆ２,e：仮想平面
ｐ：鋏状工具
【図１】
2006118292.tif 000003
【図２】
2006118292.tif 000004
【図３】
2006118292.tif 000005
【図４】
2006118292.tif 000006
【図５】
2006118292.tif 000007
【図６】
2006118292.tif 000008